(57)【要約】【課題】同一ＶＲＡＭにより本体と外部で異なる表示のリモートパネルを実現する。【解決手段】操作パネルとしての表示画面データを生成する表示画面データ生成部と、表示画面データを表示すると共に操作についての指示が入力される操作部と、表示画面データを外部情報端末に対して送信すると共に該外部情報端末からの操作の指示を受信して遠隔操作の処理を行う遠隔操作処理部と、操作部又は外部情報端末で入力される指示に基づいて各部を制御する制御部とを備える画像形成装置であって、表示画面データ生成部は、操作部と外部情報端末の表示部とにおいて、表示画面データの異なる領域を含んで表示されるように、表示画面データを生成する。【選択図】図１
2013256016.tif 000002
【特許請求の範囲】
【請求項１】
操作パネルとしての表示画面データを生成する表示画面データ生成部と、
前記表示画面データを表示すると共に操作についての指示が入力される操作部と、
前記表示画面データを外部情報端末に対して送信すると共に該外部情報端末からの操作の指示を受信して遠隔操作の処理を行う遠隔操作処理部と、
前記操作部又は前記外部情報端末で入力される指示に基づいて各部を制御する制御部と、を備え、
前記操作部又は前記外部情報端末からの指示に基づいて用紙に画像を形成する画像形成装置であって、
前記表示画面データ生成部は、前記操作部と前記外部情報端末の表示部とにおいて、前記表示画面データの異なる領域を含んで表示されるように、前記表示画面データを生成する、
ことを特徴とする画像形成装置。
【請求項２】
前記表示画面データ生成部は、
前記操作部において前記表示画面データの一部の領域が表示され、前記外部情報端末の表示部において前記表示画面データの全ての領域が表示されるように、前記表示画面データを生成する、
ことを特徴とする請求項１記載の画像形成装置。
【請求項３】
前記表示画面データ生成部は、
前記操作部において前記表示画面データの全ての領域が表示され、前記外部情報端末の表示部において前記表示画面データの一部の領域が表示されるように、前記表示画面データを生成する、
ことを特徴とする請求項１記載の画像形成装置。
【請求項４】
前記表示画面データ生成部は、
前記操作部において前記表示画面データの一部の領域が表示され、前記外部情報端末の表示部において前記表示画面データの別の一部の領域が表示されるように、前記表示画面データを生成する、
ことを特徴とする請求項１記載の画像形成装置。
【請求項５】
前記表示画面データにおいて、一方に表示されて他方に表示されない表示画面部分は、一方に表示すべき内容、または、他方に表示すべきでない内容である、
ことを特徴とする請求項１−４のいずれか一項に記載の画像形成装置。
【請求項６】
前記表示画面データにおいて、一方に表示されて他方に表示されない表示画面部分は、該一方の側で特定の操作を伴う場合に表示される、
ことを特徴とする請求項５に記載の画像形成装置。
【請求項７】
前記表示画面データにおいて、一方に表示されて他方に表示されない表示画面部分は、一方に表示すべき操作部、または、他方に表示すべきでない操作部である、
ことを特徴とする請求項１−６のいずれか一項に記載の画像形成装置。
【請求項８】
前記表示画面データにおいて、一方に表示されて他方に表示されない操作部は、該一方の側で特定の操作を伴う場合に有効とされる、
ことを特徴とする請求項７に記載の画像形成装置。
【請求項９】
前記表示画面データにおいて、一方に表示されて他方に表示されない表示画面部分は、
特定の意味を有する表示であり、該表示を受信した一方の側では、該表示を解析して処理を実行する、
ことを特徴とする請求項１−８のいずれか一項に記載の画像形成装置。
【請求項１０】
表示画面データを生成する表示画面データ生成部と、前記表示画面データを表示すると共に操作についての指示が入力される操作部と、前記表示画面データを外部情報端末に対して送信すると共に該外部情報端末からの操作の指示を受信して遠隔操作の処理を行う遠隔操作処理部と、前記操作部又は前記外部情報端末で入力される指示に基づいて各部を制御する制御部と、を備え、
前記操作部又は前記外部情報端末からの指示に基づいて用紙に画像を形成する画像形成装置を制御する画像形成装置制御方法であって、
前記操作部と前記外部情報端末の表示部とにおいて、前記表示画面データの異なる領域を含んで表示されるように、前記表示画面データ生成部が前記表示画面データを生成する、
ことを特徴とする画像形成装置制御方法。
【請求項１１】
画像形成装置と外部情報端末とが通信可能に構成された画像形成システムであって、
前記画像形成装置は、
表示画面データを生成する表示画面データ生成部と、前記表示画面データを表示すると共に操作についての指示が入力される操作部と、前記表示画面データを外部情報端末に対して送信すると共に該外部情報端末からの操作の指示を受信して遠隔操作の処理を行う遠隔操作処理部と、前記操作部又は前記外部情報端末で入力される指示に基づいて各部を制御する制御部と、を備え、前記操作部又は前記外部情報端末からの指示に基づいて用紙に画像を形成するように構成され、
前記外部情報端末は、
前記画像形成装置から送信されてきた前記表示画面データを表示部に表示すると共に、操作部からの操作の指示を前記画像形成装置に送信するように構成されており、
前記画像形成装置の前記操作部と前記外部情報端末の前記表示部とにおいて、前記表示画面データの異なる領域を含んで表示されるように、前記表示画面データ生成部によって前記表示画面データが生成される、
ことを特徴とする画像形成システム。
【請求項１２】
前記画像形成装置において、
前記表示画面データ生成部は、
前記操作部において前記表示画面データの一部の領域が表示され、前記外部情報端末の表示部において前記表示画面データの全ての領域が表示されるように、前記表示画面データを生成する、
ことを特徴とする請求項１１記載の画像形成システム。
【請求項１３】
前記画像形成装置において、
前記表示画面データ生成部は、
前記操作部において前記表示画面データの全ての領域が表示され、前記外部情報端末の表示部において前記表示画面データの一部の領域が表示されるように、前記表示画面データを生成する、
ことを特徴とする請求項１１記載の画像形成システム。
【請求項１４】
前記画像形成装置において、
前記表示画面データ生成部は、
前記操作部において前記表示画面データの一部の領域が表示され、前記外部情報端末の表示部において前記表示画面データの別の一部の領域が表示されるように、前記表示画面データを生成する、
ことを特徴とする請求項１１記載の画像形成システム。
【請求項１５】
前記表示画面データにおいて、一方に表示されて他方に表示されない表示画面部分は、一方に表示すべき内容、または、他方に表示すべきでない内容である、
ことを特徴とする請求項１１−１４のいずれか一項に記載の画像形成システム。
【請求項１６】
前記表示画面データにおいて、一方に表示されて他方に表示されない表示画面部分は、
該一方の側で特定の操作を伴う場合に表示される、
ことを特徴とする請求項１５に記載の画像形成システム。
【請求項１７】
前記表示画面データにおいて、一方に表示されて他方に表示されない表示画面部分は、一方に表示すべき操作部、または、他方に表示すべきでない操作部である、
ことを特徴とする請求項１１−１６のいずれか一項に記載の画像形成システム。
【請求項１８】
前記表示画面データにおいて、一方に表示されて他方に表示されない操作部は、
該一方の側で特定の操作を伴う場合に有効とされる、
ことを特徴とする請求項１７に記載の画像形成システム。
【請求項１９】
前記表示画面データにおいて、一方に表示されて他方に表示されない表示画面部分は、
特定の意味を有する表示であり、該表示を受信した一方の側では、該表示を解析して処理を実行する、
ことを特徴とする請求項１１−１８のいずれか一項に記載の画像形成システム。
【発明の詳細な説明】
【技術分野】
【０００１】
本発明は、画像形成装置本体の操作部と外部情報端末の双方から操作が可能な画像形成装置及び画像形成装置制御方法並びに画像形成システムに関する。
【背景技術】
【０００２】
近年は電子写真方式の画像形成装置の性能や画質が向上したことにより、ネットワークに接続された状態で使用されることが多くなってきている。また、オフィス内の用途にとどまらず、従来のオフセット印刷装置の代わりに印刷分野でも画像形成装置が使用されている。
【０００３】
また、ネットワークに接続された画像形成装置を、同じくネットワークに接続されたパーソナルコンピュータ等の情報処理装置（以下、外部情報端末）から操作したり、この外部情報端末から監視したりといったことが行われる。
【０００４】
なお、このような外部情報端末からの操作や監視を行うに際し、画像形成装置内部にウェブサーバ機能を持たせ、ＨＴＭＬで記述された情報を発信するものがあった。
【０００５】
このような従来の遠隔操作では、クライアントとなる外部情報端末から画像形成装置に対して、ＨＴＴＰによる通信を行うことで実現されていた。なお、ＨＴＴＰとは、HyperText Transfer Protocol（ハイパーテキスト・トランスファー・プロトコル）であり、ウェブブラウザとウェブサーバの間で、ＨＴＭＬなどのコンテンツの送受信に用いられる通信プロトコルである。しかし、ＨＴＴＰによる通信で画像データのやり取りを行うと、データ量が多くなってしまい、外部情報端末による遠隔操作のレスポンスが本体パネル側と比較して大幅に遅れてしまう問題があった。
【０００６】
遠隔地に設置された機器の操作画面を、手元の機器の画面上で操作する方式も提案されている。これらは、サーバ側の装置で表示画面データをビットマップ化してクライアントへ送付する。クライアント側は表示画面データを受け取り、クライアント側である装置の画面上に表示しキーボードやマウスなどの操作情報を、サーバに送信してサーバ側の装置を遠隔操作する機能を有している。
【０００７】
なお、ネットワークで接続された画像処理装置を遠隔から操作する機能として、リモートパネル機能が存在する。リモートパネル機能は遠隔操作に加えて、本体側での操作内容を遠隔操作側で監視する役割もあるため、本体側・遠隔操作側で同一の画面が表示されることが望ましい。
【０００８】
そこで、ＲＦＢ（Remote Frame Buffer）プロトコルを利用したＶＮＣ（Virtual Network Computing）アプリケーションを採用することで、反応性とリアルタイム性に優れたリモートパネルシステムが提唱されている。このＲＦＢプロトコルでは、被遠隔操作側（以降、サーバと表記する）から外部情報端末（以降、クライアントと表記する）側に画像データを、クライアント側からサーバ側にマウス／キーボードの入力情報を送信することで、ネットワークを介してサーバ側と同一の画面情報を見ながら遠隔操作が可能となる。また、ＲＦＢプロトコルでは、サーバから送られる画像データは差分情報のみが送られるため、ＨＴＴＰプロトコル等の従来と比較して、少ないデータ量で画面情報をキャプチャでき、反応性・リアルタイム性の高さを実現している。
【０００９】
特にＶＮＣという既知技術を利用して実現されるリモートパネル機能においては、本体側から送信される情報は画面情報のみであるため、必然的に両者で同一の画面が表示される。しかし、例えば遠隔操作側から本体に対して操作を禁止する処理を行う場合、現在操作が禁止されている旨を画面に表示させると、遠隔操作側にも同様に表示されてしまいどちらに対しての警告なのかわからなくなってしまい使い勝手が良くない。
【００１０】
すなわち、サーバ側の画像情報をそのままクライアント側に送信するため、サーバ側とクライアント側で異なる画像表示を行うということができないという問題点がある。例えば、サーバとクライアントの一方が操作している際に、もう一方が操作してしまうことを防ぐためにパネルロックという機能がある。一般的にパネルロックを行うと、ロックされた側は操作が効かなくなり、ロックされている旨を画面に表示させる。しかし、先述したように、リモートパネルではサーバ・クライアント双方に同一の画面が表示されるため、ロックされていない側にもロックの表示がなされてしまい、使い勝手が良くないという問題が生じる。
【００１１】
このような問題を解決するためには、サーバ側から送信される画面データに情報を付加し、クライアント側で情報を解析して表示させるという方法が考えられる。なお、このような離れた位置での操作や表示に関しては、以下の特許文献に各種の提案がなされている。
【先行技術文献】
【特許文献】
【００１２】
【特許文献１】特開２００７−１３５０１４号公報
【特許文献２】特開２００７−１１５０３９号公報
【発明の概要】
【発明が解決しようとする課題】
【００１３】
以上の特許文献１に開示されたシステムでは、遠隔にあるカメラで撮像した画像情報を、外部情報端末のブラウザ等で表示させるシステムにおいて、撮像された画像情報に詳細情報を付与するために２次元バーコードとして画像内に埋め込み、クライアントソフトで解析され、クリッカブル領域として表示させる。これにより簡単な操作でユーザが詳細情報を得ることができる。この特許文献１ではカメラで撮像した情報に対して遠隔操作を行うため、２点で同一の画面を表示しているわけではないため、２次元バーコードという形で情報を付与しても問題がない。
【００１４】
しかし、本願で採用しようとするリモートパネルのように同一の画面を２点で表示する必要のあるシステムでは、一方のみに情報を表示させたい場合もあり、その場合に特許文献１のような２次元バーコードは適していない。すなわち、このような手法で画面データに情報を付加すると、サーバ側を使用しているユーザにとっては無意味な情報が表示されていることとなってしまう。
【００１５】
また、パスワードの入力等が求められるサーバ・クライアントシステムにおいて、ＶＮＣクライアントによる接続が行われた場合に、サーバとクライアントで同時に表示がなされるため、パスワードやＩＤを盗み見られる危険性が高いという問題がある。そこで、上記特許文献２では、サーバ表示用とリモートパネル表示用に別のグラフィックメモリ（ＶＲＡＭ）を用意することによって、サーバ側とクライアント側で異なる表示が可能となるようにしている。しかし、この特許文献２の手法では、グラフィックメモリをサーバとクライアント用に別に用意する必要があり、メモリ容量が多く必要となり、コストがかかるという問題がある。
【００１６】
本発明はこのような課題に鑑みてなされたものであって、同一のグラフィックメモリにより画像形成装置本体側と外部情報端末とで異なる表示をしてリモートパネルを実現可能な画像形成装置及び画像形成装置制御方法並びに画像形成システムを実現することを目的とする。
【課題を解決するための手段】
【００１７】
すなわち、前記した課題を解決する本発明は、以下の通りである。
【００１８】
（１）この発明は、操作パネルとしての表示画面データを生成する表示画面データ生成部と、前記表示画面データを表示すると共に操作についての指示が入力される操作部と、前記表示画面データを外部情報端末に対して送信すると共に該外部情報端末からの操作の指示を受信して遠隔操作の処理を行う遠隔操作処理部と、前記操作部又は前記外部情報端末で入力される指示に基づいて各部を制御する制御部と、を備え、前記操作部又は前記外部情報端末からの指示に基づいて用紙に画像を形成する画像形成装置、もしくは、この画像形成装置の制御方法、または、画像形成システムであって、前記表示画面データ生成部は、前記操作部と前記外部情報端末の表示部とにおいて、前記表示画面データの異なる領域を含んで表示されるように、前記表示画面データを生成する、ことを特徴とする。
【００１９】
（２）また、前記表示画面データ生成部は、前記操作部において前記表示画面データの一部の領域が表示され、前記外部情報端末の表示部において前記表示画面データの全ての領域が表示されるように、前記表示画面データを生成する、ことを特徴とする。
【００２０】
（３）また、前記表示画面データ生成部は、前記操作部において前記表示画面データの全ての領域が表示され、前記外部情報端末の表示部において前記表示画面データの一部の領域が表示されるように、前記表示画面データを生成する、ことを特徴とする。
【００２１】
（４）また、前記表示画面データ生成部は、前記操作部において前記表示画面データの一部の領域が表示され、前記外部情報端末の表示部において前記表示画面データの別の一部の領域が表示されるように、前記表示画面データを生成する、ことを特徴とする。
【００２２】
（５）また、前記表示画面データにおいて、一方に表示されて他方に表示されない表示画面部分は、一方に表示すべき内容、または、他方に表示すべきでない内容である、ことを特徴とする。
【００２３】
（６）また、前記表示画面データにおいて、一方に表示されて他方に表示されない表示画面部分は、該一方の側で特定の操作を伴う場合に表示される、ことを特徴とする。
【００２４】
（７）また、前記表示画面データにおいて、一方に表示されて他方に表示されない表示画面部分は、一方に表示すべき操作部、または、他方に表示すべきでない操作部である、ことを特徴とする。
【００２５】
（８）また、前記表示画面データにおいて、一方に表示されて他方に表示されない操作部は、該一方の側で特定の操作を伴う場合に有効とされる、ことを特徴とする。
【００２６】
（９）また、前記表示画面データにおいて、一方に表示されて他方に表示されない表示画面部分は、特定の意味を有する表示であり、該表示を受信した一方の側では、該表示を解析して処理を実行する、ことを特徴とする。
【発明の効果】
【００２７】
本発明によると、以下のような効果が得られる。
【００２８】
（１）この発明の画像形成装置、もしくは、この画像形成装置の制御方法、または、画像形成システムでは、表示画面データ生成部は、操作部と外部情報端末の表示部とにおいて、表示画面データの異なる領域を含んで表示されるように、表示画面データを生成するため、同一のグラフィックメモリで表示画面データを保持する場合でも、画像形成装置本体側と外部情報端末とで異なる表示をしてリモートパネルを実現することが可能になる。
【００２９】
また、リモートパネルとして、外部情報端末から画像形成装置の遠隔操作と、画像形成装置側からの外部情報端末の操作状況の監視とが可能になる。
【００３０】
また、本来表示可能なグラフィックメモリに保存されている表示画面データに対して、操作部又は外部情報端末の表示部において表示できる領域を小さくすることで、表示されない領域を作り出すことができる。そして、この表示されない領域を、操作部又は外部情報端末の表示部において異なるように設定することで、同一のグラフィックメモリで表示画面データを保持する場合でも、画像形成装置本体側と外部情報端末とで異なる表示が実現可能になる。
【００３１】
画像形成装置本体側と外部情報端末の一方の側に異なる表示をするグラフィックメモリの領域を確保する必要があるが、画像形成装置本体側と外部情報端末で共通の表示をする領域についてはグラフィックメモリ上の記憶領域が共通しているため、従来のような２画面分のグラフィックメモリを設ける必要が無く、無駄の無い状態で画像形成装置本体側と外部情報端末とで異なる表示が実現可能になる。
【００３２】
（２）また、表示画面データ生成部は、操作部において表示画面データの一部の領域が表示され、外部情報端末の表示部において表示画面データの全ての領域が表示されるように、表示画面データを生成することにより、同一のグラフィックメモリで表示画面データを保持する場合でも、外部情報端末の表示部において特定の表示を行うと共に、操作部では特定の表示を行わないように、画像形成装置本体側と外部情報端末とで異なる表示をしてリモートパネルを実現することが可能になる。
【００３３】
（３）また、表示画面データ生成部は、操作部において表示画面データの全ての領域が表示され、外部情報端末の表示部において表示画面データの一部の領域が表示されるように、表示画面データを生成することにより、同一のグラフィックメモリで表示画面データを保持する場合でも、操作部では特定の表示を行うと共に、外部情報端末の表示部において特定の表示を行わないように、画像形成装置本体側と外部情報端末とで異なる表示をしてリモートパネルを実現することが可能になる。
【００３４】
（４）また、表示画面データ生成部は、操作部において表示画面データの一部の領域が表示され、外部情報端末の表示部において表示画面データの別の一部の領域が表示されるように、表示画面データを生成することにより、同一のグラフィックメモリで表示画面データを保持する場合でも、外部情報端末の表示部において特定の表示を行うと共に、操作部では別の特定の表示を行うように、画像形成装置本体側と外部情報端末とで異なる表示をしてリモートパネルを実現することが可能になる。
【００３５】
（５）また、表示画面データにおいて、一方に表示されて他方に表示されない表示画面部分は、一方に表示すべき内容、または、他方に表示すべきでない内容であることにより、同一のグラフィックメモリで表示画面データを保持する場合でも、画像形成装置本体側と外部情報端末とで必要と不必要とに応じて異なる表示をしてリモートパネルを実現することが可能になる。
【００３６】
（６）また、表示画面データにおいて、一方に表示されて他方に表示されない表示画面部分は、該一方の側で特定の操作を伴う場合に表示されることにより、同一のグラフィックメモリで表示画面データを保持する場合でも、特定の操作を伴うことで、画像形成装置本体側又は外部情報端末で必要に応じて異なる表示をしてリモートパネルを実現することが可能になる。
【００３７】
（７）また、表示画面データにおいて、一方に表示されて他方に表示されない表示画面部分は、一方に表示すべき操作部、または、他方に表示すべきでない操作部であることにより、同一のグラフィックメモリで表示画面データを保持する場合でも、画像形成装置本体側と外部情報端末とで必要と不必要とに応じて異なる操作部を表示をしてリモートパネルを実現することが可能になる。
【００３８】
（８）また、表示画面データにおいて、一方に表示されて他方に表示されない操作部は、該一方の側で特定の操作を伴う状態で有効とされることにより、同一のグラフィックメモリで表示画面データを保持する場合でも、特定の操作を伴うことで、画像形成装置本体側又は外部情報端末で必要に応じて異なる操作部の表示をしてリモートパネルを実現することが可能になる。
【００３９】
（９）また、表示画面データにおいて、一方に表示されて他方に表示されない表示画面部分は、特定の意味を有する表示としての命令画像であり、該表示を受信した一方の側では、該表示を解析して処理を実行することにより、同一のグラフィックメモリで表示画面データを保持する場合でも、画像形成装置本体側と外部情報端末とで異なる表示をすることができ、かつ、画像形成装置から外部情報端末に対して表示画面データの送信である場合にもコマンド相当の情報の送信を行って、状況に応じて適切なリモートパネルを実現することが可能になる。
【図面の簡単な説明】
【００４０】
【図１】本発明の実施形態の画像形成装置の構成を示すブロック図である。
【図２】本発明の実施形態の画像形成装置の表示の様子を示す説明図である。
【図３】本発明の実施形態の画像形成装置の動作を示すフローチャートである。
【図４】本発明の実施形態の画面表示の様子を示す説明図である。
【図５】本発明の実施形態の画面表示の様子を示す説明図である。
【図６】本発明の実施形態の画面表示の様子を示す説明図である。
【図７】本発明の実施形態の画面表示の様子を示す説明図である。
【図８】本発明の実施形態の画面表示の様子を示す説明図である。
【図９】本発明の実施形態の画像形成装置の動作を示すフローチャートである。
【図１０】本発明の実施形態の画面表示の様子を示す説明図である。
【図１１】本発明の実施形態の画面表示の様子を示す説明図である。
【図１２】本発明の実施形態の画像形成装置の動作を示すフローチャートである。
【図１３】本発明の実施形態の画面表示の様子を示す説明図である。
【図１４】本発明の実施形態の画像形成装置の動作を示すフローチャートである。
【発明を実施するための形態】
【００４１】
以下、図面を参照して本発明を実施するための形態（以下、実施形態）を詳細に説明する。
【００４２】
〈構成〉
図１は本発明を実施するための形態としての画像形成システムの基本構成を示している。ここで、画像形成システムは、画像形成装置１００と、ネットワーク２００と、外部情報端末３００と、を有して構成されている。
【００４３】
画像形成装置１００は、画像形成装置１００内の各部を制御すると共に画像形成システムとしてシステム全体を制御する制御部１０１と、操作パネル用の表示画面データを生成してグラフィックメモリ（以下、ＶＲＡＭと表記する）上に保持する表示画面データ生成部としてのグラフィックプロセッサユニット（以下、ＧＰＵと表記する）１０１Ｇと、他の装置と通信するための通信部１０２と、表示画面データを表示すると共に操作についての指示が入力される操作部１０５と、画像形成する際の画像データや各種データを記憶する記憶部１３０と、画像形成に必要な各種画像処理を実行する画像処理部１４０と、画像形成命令と画像データとに基づいて画像形成（印刷）を実行する画像形成部１５０と、を備えて構成されている。なお、ＧＰＵ１０１Ｇは、制御部１０１内でグラフィック用のプロセッサであっても良いし、制御部１０１を構成するＣＰＵに内蔵されたプロセッサであっても良い。
【００４４】
また、この実施形態において、制御部１０１は、遠隔操作処理部としての働きをしており、表示画面データを外部情報端末３００に対して送信すると共に該外部情報端末３００からの操作の指示を受信して遠隔操作の処理を行う。さらに、制御部１０１は、遠隔操作処理部として、操作部１０５又は外部情報端末３００で入力される指示に基づいて、画像形成装置１００内の各部を制御して画像形成を実行する。
【００４５】
そして、制御部１０１は、リモートパネルとして、外部情報端末３００から画像形成装置１００の遠隔操作と、画像形成装置１００側からの外部情報端末３００の操作状況の監視とを可能に制御している。
【００４６】
また、ＧＰＵ１０１Ｇでは、表示画面データ１０２ｄが生成されて、ＶＲＡＭ上に保持されている。
【００４７】
また、操作部１０５では、表示画面データ１０２ｄの一部が、表示画面１０５ｄとして表示される。
【００４８】
ネットワーク２００は、少なくとも画像形成装置１００と外部情報端末３００とが接続されうる各種通信網である。なお、このネットワーク２００は、ＬＡＮ、ＷＡＮ，インターネット等に限定されず、画像形成装置１００と外部情報端末３００とが、有線、無線、又は光などで１対１で接続されうる通信手段をも含む。
【００４９】
外部情報端末３００は、キー入力が可能な操作部３０５Ｋと、ポインタの操作が可能なポインティングデバイス３０５Ｐと、画像形成装置１００から送られてくる表示画面データの表示が可能な表示部３０５Ｄと、図示されない制御部を備えて、パーソナルコンピュータ等によって構成されている。
【００５０】
また、表示部３０５Ｄでは、表示画面データ１０２ｄの一部又は全部が、表示画面３０５ｄとして表示される。
【００５１】
この実施形態において、画像形成装置１００の操作部１０５と、外部情報端末３００の表示部３０５Ｄとにおいて、表示画面データ１０２ｄの異なる領域を含んで表示されるように、表示画面データ生成部としてのＧＰＵ１０１Ｇによって単一の表示画面データ１０２ｄが生成される。すなわち、ＶＲＡＭに保存されている表示画面データ１０２ｄに対して、操作部１０５又は表示部３０５Ｄにおいて表示できる領域を小さくすることで、表示画面データ１０２ｄについて一部表示されない領域を作り出す。そして、この表示されない領域を、操作部１０５又は表示部３０５Ｄにおいて異なるように設定することで、同一のＶＲＡＭで表示画面データ１０２ｄを保持する場合でも、画像形成装置１００側と外部情報端末３００とで異なる表示が実現可能になる。
【００５２】
〈動作（１）〉
以下、画像形成装置と画像形成システムとの動作、及び画像形成装置制御方法について、動作（１）として説明する。
【００５３】
この動作（１）では、例えば、操作部１０５においては横１０２４画素×縦７６８画素の表示が可能であり、表示部３０５においては横１０２４画素×縦１０２４画素の表示が可能である場合を想定する。
【００５４】
ここで、図２のように、表示画面データ１０２ｄについては、操作部１０５と表示部３０５Ｄの双方に表示される１０２４画素×７６８画素の「主領域Ｄmain」と、操作部１０５には表示されずに表示部３０５Ｄに表示される１０２４画素×２５６画素の「周辺領域Ｄsub」とに、区別しておく。
【００５５】
以下、図３のフローチャート、図４以降の画面説明図を参照して、本実施形態の動作（１）についての説明を行う。
【００５６】
制御部１０１は、ネットワーク２００を介して外部情報端末３００内の制御部と通信を行い、外部情報端末３００が接続されたことを確認する（図３中のステップＳ１００でＹＥＳ）。ここで、ＧＰＵ１０１Ｇは、操作部１０５には主領域Ｄmainが表示されるように、表示部３０５Ｄには主領域Ｄmainと周辺領域Ｄsubが表示されるように、表示画面データ１０２ｄをＶＲＡＭ上で生成する（図３中のステップＳ１０１）。
【００５７】
なお、ここでは、ＲＦＢプロトコルを利用したＶＮＣアプリケーションを採用によるリモートパネルとして、外部情報端末３００から画像形成装置１００の遠隔操作と、画像形成装置１００側からの外部情報端末３００の操作状況の監視とを可能に制御している。
【００５８】
図４は、ＧＰＵ１０１Ｇが生成する表示画面データ１０２ｄであり、主領域Ｄmainと周辺領域Ｄsubとを含んでいる。なお、この時点では、表示部３０５Ｄで表示されている周辺領域Ｄsubでは、特別な表示内容は表示されていない。また、図５は、操作部１０５において主領域Ｄmainのみが表示される様子を示す。
【００５９】
ここで、オペレータが、画像形成装置１００側の操作部１０５で操作を行うと共に、パネルロックと称する機能を操作部１０５から実行し、この操作中に外部情報端末３００側から操作を行えないように、指示したとする（図３中のステップＳ１０２）。
【００６０】
このパネルロックの指示を受けた制御部１０１は、表示部３０５Ｄからの指示を受け付けないようにする。また、これと並行して、ＧＰＵ１０１Ｇは、「本体パネル使用中、リモート操作不可」といった外部情報端末３００向けのメッセージを、ＶＲＡＭの周辺領域に生成する（図３中のステップＳ１０３，図６中のＤsub領域）。
【００６１】
そして、制御部１０１は、以上の表示画面データ１０２ｄを外部情報端末３００に送信する（図３中のステップＳ１０４）。ここで、ＲＦＢプロトコルでは、制御部１０１は、表示画面データ１０２ｄの差分情報のみ、すなわち周辺領域Ｄsubにおける「本体パネル使用中、リモート操作不可」の部分を送信する。
【００６２】
これにより、外部情報端末３００の表示される表示部３０５Ｄには、表示画面データ１０２ｄに基づいて、図６のような表示画面３０５ｄが表示され、パネルロックの状態が明瞭になる。
【００６３】
また、画像形成装置１００側の操作部１０５では、表示画面データ１０２ｄの主領域に基づいて、図５のような表示画面１０５ｄが表示されているため、操作部１０５として無駄な表示はなされない。
【００６４】
この状態で操作部１０５で操作が発生すれば（図３中のステップＳ１０５でＹＥＳ）、制御部１０１は、操作の指示に応じた処理を実行する（図３中のステップＳ１０６）。
【００６５】
以上の画像形成システムでは、表示画面データ生成部としてのＧＰＵ１０１Ｇが、操作部１０５と外部情報端末３００の表示部３０５Ｄとにおいて、異なる領域を含んで表示されるように表示画面データ１０２ｄを生成するため、同一のＶＲＡＭ（グラフィックメモリ）で表示画面データ１０２ｄを保持する場合でも、画像形成装置１００と外部情報端末３００とで異なる表示をしてリモートパネルを実現することが可能になる。
【００６６】
なお、画像形成装置１００と外部情報端末３００の一方の側に異なる表示をするＶＲＡＭの周辺領域Ｄsubを確保する必要があるが、共通の表示をする主領域Ｄmainについては記憶領域が共通しているため、従来のような２画面分のＶＲＡＭを設ける必要が無く、無駄の無い状態で画像形成装置１００と外部情報端末３００とで異なる表示が実現可能になる。
【００６７】
また、ＧＰＵ１０１Ｇは、操作部１０５において表示画面データ１０２ｄの一部の領域（主領域Ｄmain）が表示され、外部情報端末３００の表示部３０５Ｄにおいて表示画面データの全ての領域（主領域Ｄmain＋周辺領域Ｄsub）が表示されるように、表示画面データ１０２ｄを生成することにより、同一のＶＲＡＭで表示画面データ１０２ｄを保持する場合でも、外部情報端末３００の表示部３０５Ｄにおいて特定の表示を行うと共に、操作部１０５では特定の表示を行わないように、画像形成装置１００と外部情報端末３００とで異なる表示をしてリモートパネルを実現することが可能になる。
【００６８】
〈動作（２）〉
以下、画像形成装置と画像形成システムとの動作、及び画像形成装置制御方法について、動作（２）として説明する。
【００６９】
この動作（２）では、例えば、操作部１０５においては横１０２４画素×縦７６８画素の表示と、横１２８０画素×縦７６８画素の表示が可能であるとする。
【００７０】
ここで、図７のように、表示画面データ１０２ｄについては、操作部１０５と表示部３０５Ｄの双方に表示される１０２４画素×７６８画素の「主領域Ｄmain」と、表示部３０５Ｄには表示されずに操作部１０５に表示されうる２５６画素×７６８画素の「周辺領域Ｄsub2」とに、区別しておく。
【００７１】
また、図８のように、表示画面データ１０２ｄについては、操作部１０５と表示部３０５Ｄの双方に表示される１０２４画素×７６８画素の「主領域Ｄmain」と、操作部１０５には表示されずに表示部３０５Ｄに表示される１０２４画素×２５６画素の「周辺領域Ｄsub1」と、表示部３０５Ｄには表示されずに操作部１０５に表示されうる２５６画素×７６８画素の「周辺領域Ｄsub2」とに、区別しておく。
【００７２】
以下、図９のフローチャート、図１０以降の画面説明図を参照して、本実施形態の動作（２）についての説明を行う。
【００７３】
なお、ここでは、ＲＦＢプロトコルを利用したＶＮＣアプリケーションを採用によるリモートパネルとして、外部情報端末３００から画像形成装置１００の遠隔操作と、画像形成装置１００側からの外部情報端末３００の操作状況の監視とを可能に制御している。
【００７４】
ここで、ＧＰＵ１０１Ｇは、操作部１０５には主領域Ｄmainが表示されるように、表示部３０５Ｄには主領域Ｄmainと周辺領域Ｄsub1が表示されるように、表示画面データ１０２ｄをＶＲＡＭ上で生成する（図９中のステップＳ２００）。なお、図７の場合には操作部１０５と表示部３０５Ｄには主領域Ｄmainが表示される（図１０参照）。また、図８の場合には操作部１０５には主領域Ｄmainが表示される（図１０参照）と共に、表示部３０５Ｄには主領域Ｄmainと周辺領域Ｄsub1が表示される（図４参照）。
【００７５】
そして、制御部１０１は、ネットワーク２００を介して外部情報端末３００内の制御部と通信を行い、外部情報端末３００が接続されたことを確認する（図９中のステップＳ２０１）。
【００７６】
外部情報端末３００の接続が制御部１０１により検知された場合（図９中のステップＳ２０１でＹＥＳ）、ＧＰＵ１０１Ｇは、「リモートパネル接続中」といった操作部１０５向けのメッセージを、ＶＲＡＭの周辺領域Ｄsub2に生成する（図９中のステップＳ２０２，図１１中のＤsub2領域）。
【００７７】
そして、制御部１０１は、操作部１０５の表示領域を横１０２４画素×縦７６８画素から、横１２８０画素×縦７６８画素に変更する（図９中のステップＳ２０３）。この場合、操作部１０５の表示画素数そのものを変更しても良いし、操作部１０５の表示画素数を変更せずに拡大／縮小によって表示できる画素数を変更しても良い。
【００７８】
これにより、操作部１０５には、表示画面データ１０２ｄに基づいて、図１１のように周辺領域Ｄsub2を含んだ状態の表示画面１０５ｄが表示され、外部情報端末３００によるリモートパネルの接続が明瞭になる。また、外部情報端末３００側の表示部３０５Ｄには、周辺領域Ｄsub2は表示されないため、無駄な表示はなされない。
【００７９】
この状態で操作部１０５での操作か外部情報端末３００側の操作が発生すれば（図９中のステップＳ２０４でＹＥＳ）、制御部１０１は、操作の指示に応じた処理を実行する（図９中のステップＳ２０５）。
【００８０】
以上の画像形成システムでは、表示画面データ生成部としてのＧＰＵ１０１Ｇが、操作部１０５と外部情報端末３００の表示部３０５Ｄとにおいて、異なる領域を含んで表示されるように表示画面データ１０２ｄを生成するため、同一のＶＲＡＭ（グラフィックメモリ）で表示画面データ１０２ｄを保持する場合でも、画像形成装置１００と外部情報端末３００とで異なる表示をしてリモートパネルを実現することが可能になる。
【００８１】
また、表示画面データ生成部としてのＧＰＵ１０１Ｇが、操作部１０５において表示画面データ１０２ｄの全ての領域が表示され、外部情報端末３００の表示部３０５Ｄにおいて表示画面データ１０２ｄの一部の領域が表示されるように表示画面データを生成することにより（図７参照）、同一のＶＲＡＭで表示画面データ１０２ｄを保持する場合でも、操作部１０５では特定の表示を行う（図１１参照）と共に、外部情報端末３００の表示部３０５Ｄにおいて特定の表示を行わない（図１０参照）ように、画像形成装置１００と外部情報端末３００とで異なる表示をしてリモートパネルを実現することが可能になる。
【００８２】
また、表示画面データ生成部としてのＧＰＵ１０１Ｇが、操作部１０５において表示画面データ１０２ｄの一部の領域が表示され、外部情報端末３００の表示部３０５Ｄにおいて表示画面データ１０２の別の一部の領域が表示されるように表示画面データ１０２ｄを生成することにより（図８参照）、同一のＶＲＡＭで表示画面データ１０２ｄを保持する場合でも、操作部１０５では別の特定の表示を行う（図１１参照）と共に、外部情報端末３００の表示部３０５Ｄにおいて特定の表示を行う（図６参照）ように、画像形成装置１００と外部情報端末３００とで異なる表示をしてリモートパネルを実現することが可能になる。
【００８３】
〈動作（３）〉
以下、画像形成装置と画像形成システムとの動作、及び画像形成装置制御方法について、動作（３）として説明する。
【００８４】
この動作（３）においても、ＲＦＢプロトコルを利用したＶＮＣアプリケーションを採用によるリモートパネルとして、外部情報端末３００から画像形成装置１００の遠隔操作と、画像形成装置１００側からの外部情報端末３００の操作状況の監視とを可能に制御している。
【００８５】
また、この動作（３）では、例えば、操作部１０５においては横１０２４画素×縦７６８画素の表示が可能であり、表示部３０５においては横１０２４画素×縦１０２４画素の表示が可能である場合を想定する。ここで、表示画面データ１０２ｄについては、操作部１０５と表示部３０５Ｄの双方に表示される１０２４画素×７６８画素の「主領域Ｄmain」と、操作部１０５には表示されずに表示部３０５Ｄに表示される１０２４画素×２５６画素の「周辺領域Ｄsub」とに、区別しておく（図２参照）。
【００８６】
外部情報端末３００からリモートパネル機能を利用するのは、基本的に管理者権限を有するオペレータであり、管理者専用の設定画面等を利用することも多い。
【００８７】
しかし、ＶＮＣを利用したリモートパネルでは、先述したように画像形成装置１００側と外部情報端末３００側とで同等の表示画面を表示する。このため、管理者権限を有しない一般権限のユーザには使用させたくない操作画面を表示させてしまうことになってしまう。
【００８８】
そこで、外部情報端末３００のリモートパネルから「簡易管理者画面表示」のボタンを押下した際に、周辺領域Ｄsubに簡易的な管理者画面（以下、簡易管理者画面）を表示させることで、画像形成装置１００側で操作中の一般権限のユーザには影響を与えること無く、外部情報端末３００からは管理者による操作を行うことができる。
【００８９】
以下、図１２のフローチャート、図１３の画面説明図を参照して、本実施形態の動作（３）についての説明を行う。
【００９０】
ここで、ＧＰＵ１０１Ｇは、操作部１０５には主領域Ｄmainが表示されるように、表示部３０５Ｄには主領域Ｄmainと周辺領域Ｄsub1が表示されるように、表示画面データ１０２ｄをＶＲＡＭ上で生成する（図１２中のステップＳ３００）。
【００９１】
これにより、操作部１０５には主領域Ｄmainが表示され（図１２中のステップＳ３００、図５参照）、表示部３０５Ｄには主領域Ｄmainと周辺領域Ｄsub1が表示される（図１２中のステップＳ４００）。
【００９２】
なお、この時点では、表示部３０５Ｄで表示されている周辺領域Ｄsub1では、特別な表示内容は表示されておらず、一般用表示画面となっている（図４参照）。
【００９３】
ここで、管理者権限を有するオペレータが表示部３０５Ｄの表示を参照しつつ、操作部３０５Ｋ、ポインティングデバイス３０５Ｐで「簡易管理者画面表示」等の特定のボタンを押下すると（図１２中のステップＳ４０１でＹＥＳ）、外部情報端末３００は画像形成装置１００側の制御部１０１に簡易管理者画面表示の要求を通知する（図１２中のステップＳ４０２）。
【００９４】
外部情報端末３００から簡易管理者画面表示の要求が制御部１０１で受信されると（図１２中のステップＳ３０１でＹＥＳ）、ＧＰＵ１０１Ｇは、管理者権限で使用可能な操作に対応するボタンやアイコンを含む簡易管理者画面をＶＲＡＭの周辺領域Ｄsub1に生成する（図１２中のステップＳ３０２、図１３のＤsub1参照）。この図１３の周辺領域Ｄsub1では、ＤｉｐＳＷ設定、ＩＳＷ、ＦＷバージョンなどのボタンが表示された様子を例示している。
【００９５】
そして、制御部１０１は、以上の表示画面データ１０２ｄを外部情報端末３００に送信する（図１２中のステップＳ３０３）。ここで、ＲＦＢプロトコルでは、制御部１０１は、表示画面データ１０２ｄの差分情報のみ、すなわち周辺領域Ｄsub1における簡易管理者画面のボタンやアイコンの表示部分を送信する。
【００９６】
この表示画面データ１０２ｄの差分情報である簡易管理者画面のデータを受信した外部情報端末３００では、表示画面データ１０２ｄに基づいて、図１３のような表示画面データ１０２ｄに基づいた簡易管理者画面の表示画面３０５ｄが表示部３０５Ｄに表示され、管理者権限が要求される専用の設定画面等を利用することが可能になる。
【００９７】
ここで、管理者権限を有するオペレータが表示部３０５Ｄの表示を参照しつつ、操作部３０５Ｋ、ポインティングデバイス３０５Ｐで簡易管理者画面の操作を行った場合（図１２中のステップＳ４０５でＹＥＳ）、簡易管理者画面のボタンに対応する情報を、特定キーとの同時操作した状態に変換して、制御部１０１に送信する（図１２中のステップＳ４０６）。ここで、特定キーとしては、操作部１０５側に存在しないキーか、操作部１０５側では一般的に使用しないキー、とする。
【００９８】
また、オペレータが表示部３０５Ｄの表示を参照しつつ、操作部３０５Ｋ、ポインティングデバイス３０５Ｐで簡易管理者画面以外の操作を行った場合（図１２中のステップＳ４０５でＮＯ）、操作された情報をそのままの状態で、制御部１０１に送信する（図１２中のステップＳ４０７）。
【００９９】
外部情報端末３００におけるリモートパネルの操作の情報を受信した制御部１０１は（図中１２のステップＳ３０４でＹＥＳ）、受信した情報が前述の特定キーとの同時操作であるかを判定する（図１２中のステップＳ３０５）。
【０１００】
受信した情報が前述の特定キーとの同時操作であれば（図１２中のステップＳ３０５でＹＥＳ）、外部情報端末３００側で簡易管理者画面のボタン（図１３の周辺領域Ｄsub1）を操作したことに間違いないので、簡易管理者画面の操作に応じた処理を実行するよう、画像形成装置１００内の各部を制御する（図１２中のステップＳ３０６）。
【０１０１】
受信した情報が前述の特定キーとの同時操作でなければ（図１２中のステップＳ３０５でＮＯ）、外部情報端末３００側で簡易管理者画面以外の部分のボタン（図１３のＤmain）を操作しているので、通常の操作に応じた処理を実行するよう、画像形成装置１００内の各部を制御する（図１２中のステップＳ３０７）。
【０１０２】
なお、操作部１０５では簡易管理者画面の周辺領域Ｄsub1は本来は表示されていないが、マウス操作などにより、操作部１０５に簡易管理者画面の周辺領域Ｄsub1が表示される可能性もある。この場合に、一般権限のオペレータが簡易管理者画面によって操作してしまうことは望ましくない。そこで、上述したように特定キーの同時操作の情報が必要であるとしておいて、この特定キーを操作部１０５側に存在しないキーか一般的でないキーとしておくことで、一般権限のオペレータがマウス操作等により簡易管理者画面を操作したとしても、その操作は有効なものとして扱われなくなる（図１２中のステップＳ３０５でＮＯ）。
【０１０３】
また、制御部１０１は、以上のようにして外部情報端末３００からの操作に応じた処理を実行した後（図１２中のステップＳ３０６、Ｓ３０７）、または、外部情報端末３００からの操作を受信しなかった場合（図１２中のステップＳ３０４でＮＯ）、外部情報端末３００から簡易管理者画面終了の要求を受信するまでは（図１２中のステップＳ３０８でＮＯ）、リモートパネル操作の受信確認（図中１２のステップＳ３０４）以降を繰り返す。
【０１０４】
ここで、管理者権限を有するオペレータが表示部３０５Ｄの表示を参照しつつ、操作部３０５Ｋ、ポインティングデバイス３０５Ｐで「簡易管理者画面終了」等の特定のボタンを押下すると（図１２中のステップＳ４０８でＹＥＳ）、外部情報端末３００は画像形成装置１００側の制御部１０１に簡易管理者画面終了の要求を通知する（図１２中のステップＳ４０９）。
【０１０５】
外部情報端末３００から簡易管理者画面終了の要求が制御部１０１で受信されると（図１２中のステップＳ３０８でＹＥＳ）、ＧＰＵ１０１Ｇは、ＶＲＡＭの周辺領域Ｄsub1における簡易管理者画面のボタンを消去して、主領域Ｄmainのみに各種表示がなされる一般表示画面をＶＲＡＭ上に生成する（図１２中のステップＳ３０９、図４参照）。
【０１０６】
そして、制御部１０１は、以上の表示画面データ１０２ｄを外部情報端末３００に送信する。ここで、ＲＦＢプロトコルでは、制御部１０１は、表示画面データ１０２ｄの差分情報のみ、すなわち周辺領域Ｄsub1において表示無しの状態の表示部分を送信する。
【０１０７】
この表示画面データ１０２ｄの差分情報のデータを受信した外部情報端末３００では、表示画面データ１０２ｄに基づいて、図４のような表示画面データ１０２ｄに基づいた表示画面３０５ｄが表示部３０５Ｄに表示される（図１２中のステップＳ４１０）。すなわち、表示部３０５Ｄで表示されている周辺領域Ｄsub1では、特別な表示内容は表示されておらず、一般用表示画面になる（図４参照）。
【０１０８】
以上の画像形成システムでは、表示画面データ生成部としてのＧＰＵ１０１Ｇが、操作部１０５と外部情報端末３００の表示部３０５Ｄとにおいて、異なる領域を含んで表示されるように表示画面データ１０２ｄを生成するため、同一のＶＲＡＭ（グラフィックメモリ）で表示画面データ１０２ｄを保持する場合でも、画像形成装置１００と外部情報端末３００とで異なる表示をしてリモートパネルを実現することが可能になる。
【０１０９】
また、表示画面データにおいて、一方に表示されて他方に表示されない表示画面部分が、管理者画面のような、一方に表示すべき内容、または、他方に表示すべきでない内容の場合に、同一のＶＲＡＭで表示画面データを保持する場合でも、画像形成装置１００と外部情報端末３００とで必要と不必要とに応じて異なる表示をしてリモートパネルを実現することが可能になる。
【０１１０】
例えば、管理者画面において、外部情報端末３００にて管理者としてのＩＤやパスワードを入力する際にも、画像形成装置１００側の操作部１０５には管理者画面が表示されないため、リモートパネルの接続時において一般ユーザに管理者のＩＤやパスワードが漏れる心配はなくなる。
【０１１１】
また、表示画面データにおいて、一方に表示されて他方に表示されない表示画面部分は、該一方の側で特定の操作（「簡易管理者画面表示」等の特定のボタンの押下（図１２中のステップＳ４０１でＹＥＳ））を伴う場合に表示されることにより、同一のＶＲＡＭで表示画面データを保持する場合でも、特定の操作を伴うことで、画像形成装置１００又は外部情報端末３００で必要に応じて異なる表示をしてリモートパネルを実現することが可能になる。
【０１１２】
また、表示画面データにおいて、一方に表示されて他方に表示されない表示画面部分は、一方に表示すべき（他方に表示すべきでない）操作部（管理者画面として操作すべきボタンであることにより、同一のＶＲＡＭで表示画面データを保持する場合でも、画像形成装置１００と外部情報端末３００とで必要と不必要とに応じて異なる操作部を表示をしてリモートパネルを実現することが可能になる。
【０１１３】
また、表示画面データにおいて、一方に表示されて他方に表示されない操作部は、該一方の側で特定の操作（特定キーの同時押下）を伴う状態で有効とされる（特定キー押下の判定）ことにより、同一のＶＲＡＭで表示画面データを保持する場合でも、特定の操作を伴うことで、画像形成装置１００又は外部情報端末３００で必要に応じて異なる操作部の表示をしてリモートパネルを実現することが可能になる。
【０１１４】
なお、この動作（３）において、操作部１０５において、マウスカーソルが本来は表示されない周辺領域に存在し、かつ特定時間操作がないような場合には、制御部１０１は自動的にマウスカーソルを操作１０５の画面中央に戻すように制御することが望ましい。これにより、オペレータがマウスカーソルを見失ってしまうことを防止できる。
【０１１５】
また、以上の動作（３）では、画像形成装置１００側の操作部１０５が一般権限のオペレータであり、外部情報端末３００側が管理者権限を有するオペレータであり、外部情報端末３００側の表示部３０５Ｄに簡易管理者画面を表示していたが、これに限定されるものではない。すなわち、同一のＶＲＡＭ上の表示画面データ１０２ｄを用いて、管理者権限を有するオペレータのために操作部１０５に簡易管理者画面を表示し、外部情報端末３００側の表示部３０５Ｄに一般権限のオペレータ用の画面を表示することも可能である。
【０１１６】
〈動作（４）〉
以下、画像形成装置と画像形成システムとの動作、及び画像形成装置制御方法について、動作（４）として説明する。
【０１１７】
この動作（４）においても、ＲＦＢプロトコルを利用したＶＮＣアプリケーションを採用によるリモートパネルとして、外部情報端末３００から画像形成装置１００の遠隔操作と、画像形成装置１００側からの外部情報端末３００の操作状況の監視とを可能に制御している。
【０１１８】
また、この動作（４）では、例えば、操作部１０５においては横１０２４画素×縦７６８画素の表示が可能であり、表示部３０５においては横１０２４画素×縦１０２４画素の表示が可能である場合を想定する。ここで、表示画面データ１０２ｄについては、操作部１０５と表示部３０５Ｄの双方に表示される１０２４画素×７６８画素の「主領域Ｄmain」と、操作部１０５には表示されずに表示部３０５Ｄに表示される１０２４画素×２５６画素の「周辺領域Ｄsub」とに、区別しておく（図２参照）。
【０１１９】
以下、図１４のフローチャートを参照して、本実施形態の動作（４）についての説明を行う。
【０１２０】
ここで、ＧＰＵ１０１Ｇは、操作部１０５には主領域Ｄmainが表示されるように、表示部３０５Ｄには主領域Ｄmainと周辺領域Ｄsubが表示されるように、表示画面データ１０２ｄをＶＲＡＭ上で生成し、操作部１０５には主領域Ｄmainが表示され、表示部３０５Ｄには主領域Ｄmainと周辺領域Ｄsub1が表示されているとする。
【０１２１】
ここで、操作部１０５において、外部情報端末３００に影響が生じる特定の操作を実施する（図１４中のステップＳ５０１でＹＥＳ）。この特定の操作としては、例えば、既に説明したパネルロックのように、操作部１０５から操作を実行し、この操作中に外部情報端末３００側から操作を行えないようにすることなどが該当する。
【０１２２】
この場合に、操作部１０５において特定の操作が検知されると、ＧＰＵ１０１Ｇは、上記特定の操作に対応する命令を画像に変換した状態の命令画像してＶＲＡＭ上の周辺領域Ｄsub1に生成する（図１４中のステップＳ５０２）。なお、この命令画像とは、特定のドット配列など、視覚的に目立たないものであることが望ましい。
【０１２３】
そして、制御部１０１は、以上の表示画面データ１０２ｄを外部情報端末３００に送信する（図１４中のステップＳ５０３）。ここで、ＲＦＢプロトコルでは、制御部１０１は、表示画面データ１０２ｄの差分情報のみ、すなわち周辺領域Ｄsub1における命令画像の部分を送信する。
【０１２４】
この表示画面データ１０２ｄの差分情報のデータを受信した外部情報端末３００では、表示画面データ１０２ｄ中の周辺領域Ｄsub1中に命令画像が含まれていないかを解析する（図１４中のステップＳ６０２）。なお、ここでは、特定のドット配列等のパターンが含まれていないかを、画像解析して命令画像を抽出し、さらに命令画像から命令を抽出する。
【０１２５】
画像解析の結果、特定の命令が含まれていれば（図１４中のステップＳ６０３でＹＥＳ）、外部情報端末３００では命令に従った処理を実行する（図１４中のステップＳ６０４）。例えば、パネルロックの場合には、外部情報端末３００内の制御部は、操作部３０５Ｋやポインティングデバイス３０５Ｐの操作を受け付けないように制御する。
【０１２６】
また、特定の命令として、パネルロックだけでなく、パネルロックの解除や、その他の命令を命令画像として同様に扱うことが可能である。
【０１２７】
また、外部情報端末３００では、画像解析しても特定の命令が含まれていない場合（図１４中のステップＳ６０３でＮＯ）、あるいは、特定の命令が含まれていて処理を実行した後に（図１４中のステップＳ６０４）、周辺領域Ｄsub1に含まれる画像部分を表示部３０５Ｄに表示する（図１４中のステップＳ６０５）。
【０１２８】
以上のようにすることで、リモートパネルにより表示画面データ１０２ｄの差分情報のデータを送っているだけで、ＲＦＢプロトコルを利用したＶＮＣアプリケーションに何ら変更を加えることなく、実質的に命令の情報を送信したことになる。
【０１２９】
以上の画像形成システムでは、表示画面データ生成部としてのＧＰＵ１０１Ｇが、操作部１０５と外部情報端末３００の表示部３０５Ｄとにおいて、異なる領域を含んで表示されるように表示画面データ１０２ｄを生成するため、同一のＶＲＡＭ（グラフィックメモリ）で表示画面データ１０２ｄを保持する場合でも、画像形成装置１００と外部情報端末３００とで異なる表示をしてリモートパネルを実現することが可能になる。
【０１３０】
また、表示画面データにおいて、一方に表示されて他方に表示されない表示画面部分は、特定の意味を有する表示（命令画像）であり、該表示を受信した一方の側では、該表示を解析して処理を実行することにより、同一のグラフィックメモリで表示画面データを保持する場合でも、画像形成装置１００と外部情報端末３００とで異なる表示をすることができ、かつ、画像形成装置１００から外部情報端末３００に対して表示画面データの送信である場合にもコマンド相当の情報の送信を行って、状況に応じて適切なリモートパネルを実現することが可能になる。
【０１３１】
〈その他の実施形態〉
以上の実施形態で表示画面データ１０２ｄや各表示部における画素数は一例であって、これに限定されるものではない。同様に、主領域Ｄmainと周辺領域Ｄsubとの区別に関しても、一例であってこれに限定されるものではない。
【符号の説明】
【０１３２】
１００  画像形成装置
１０１  制御部
１０１Ｇ  ＧＰＵ
１０２  通信部
１０５  操作部
１３０  記憶部
１４０  画像処理部
１５０  画像形成部
２００  ネットワーク
３００  外部情報端末
３０５Ｄ  表示部
【図２】
2013256016.tif 000003
【図３】
2013256016.tif 000004
【図７】
2013256016.tif 000005
【図８】
2013256016.tif 000006
【図９】
2013256016.tif 000007
【図１２】
2013256016.tif 000008
【図１】
2013256016.tif 000009
【図４】
2013256016.tif 000010
【図５】
2013256016.tif 000011
【図６】
2013256016.tif 000012
【図１０】
2013256016.tif 000013
【図１１】
2013256016.tif 000014
【図１３】
2013256016.tif 000015
【図１４】
2013256016.tif 000016